(57)【要約】【課題】筐体の着脱を可能としながら、簡単な構造で、筐体周辺部の幅の狭い筐体を構成することを目的とする。【解決手段】表示機１０１の側面に支持用金属板１２１を取り付けることにより支持用金属板１２１のネジ止め用平板部１２３を表示機１０１の裏面側にはみ出させ、本体ケース側壁の長溝１１２に固定用金具１４１の固定用平板部１４３を挿入した状態で、蓋体１５１と固定用金具１４１とネジ止め用平板部１２３とをネジ止め固定することにより、表示機１０１と本体ケース側壁との間隔を小さくできるので、本体ケース１１１に長溝１１２を形成するだけの簡単な筐体の構成で、着脱自在に、筐体周辺部の幅の狭い筐体を構成することができる。【選択図】図４
2010191407.tif 000002
【特許請求の範囲】
【請求項１】
側壁後端部に長溝が形成される本体ケースと、
前記本体ケースの側壁後端部に着脱自在に固定される蓋体と、
表示機の側面に取り付けられる支持用金属板と、
前記支持用金属板に設けられて前記表示機の裏面方向に突出するネジ止め用平板部と、
前記長溝に挿入される固定用平板部を備える固定用金具と、
前記蓋体，前記固定用金具および前記ネジ止め用平板部とを一体的に固定する表示機固定用ネジと
を有することを特徴とする映像表示装置の筐体構造。
【請求項２】
左右側壁後端部に長溝が形成される本体ケースと、
前記本体ケースの側壁後端部に着脱自在に固定される蓋体と、
表示機の左右側面に取り付けられる支持用金属板と、
前記支持用金属板に設けられて前記表示機の裏面方向に突出するネジ止め用平板部と、
前記長溝に挿入される固定用平板部を備える固定用金具と、
前記蓋体，前記固定用金具および前記ネジ止め用平板部とを一体的に固定する表示機固定用ネジと
を有することを特徴とする映像表示装置の筐体構造。
【請求項３】
前記長溝の深さ方向が前記表示機の表示面に対して垂直方向と略同一であることを特徴とする請求項１または請求項２のいずれかに記載の映像表示装置の筐体構造。
【請求項４】
前記固定用金具の前記固定用平板部と対向する位置に、さらに前記支持用金属板を位置決めする支持用平板部を形成することを特徴とする請求項１〜請求項３のいずれかに記載の映像表示装置の筐体構造。
【請求項５】
前記固定用平板部の表面に突起を設けることを特徴とする請求項１〜請求項４のいずれかに記載の映像表示装置の筐体構造。
【請求項６】
前記長溝が形成される前記本体ケースの側壁に段差を持たせることを特徴とする請求項１〜請求項５のいずれかに記載の映像表示装置の筐体構造。
【請求項７】
前記本体ケースと蓋体との固定を筐体固定用ネジを用いて行うことを特徴とする請求項１〜請求項６のいずれかに記載の映像表示装置の筐体構造。
【発明の詳細な説明】
【技術分野】
【０００１】
本発明は、液晶ディスプレー等の表示機を収める映像表示装置の筐体構造に関する。
【背景技術】
【０００２】
液晶テレビやパソコンモニターに代表される映像表示装置は、近年大型化が進むと共に、高画質、例えばハイビジョンなどは縦横比が９対１６である等、さらに横幅が広くなる傾向が進み、画像は大きく且つ横幅の小さい映像表示装置が求められている。そのため、映像表示装置の筐体構造において、液晶ディスプレー等の表示機を固定する固定部を小型化し、映像表示装置の筐体における表示機の周辺部分（以下、筐体周辺部と称す）の幅、特に表示機側面の筐体周辺部の幅を狭くする工夫がされている。
【０００３】
例えば、筐体と表示機とのいずれか一方につめを設け、他方に貫通孔を設け、つめが貫通孔に差し込まれるように表示機に筐体を装着し、つめのかえりでつめが貫通孔からぬけないようにして、表示機と筐体とを固定していた（例えば、特許文献１参照）。
【０００４】
また、図６に示すように、筐体側面から固定ブロックを挿入することにより表示機と筐体とを固定する場合もあった。
図６は従来の映像表示装置の筐体構造を示す図である。
【０００５】
図６において、矢印Ｂは映像表示装置の左右方向を、矢印Ｃは前後方向をそれぞれ示している。筐体を形成する本体ケース２１１の側壁には側壁孔２１２が設けられ、蓋体２３１のネジ固定部裏面には、固定部２３２が設けられている。液晶ディスプレー２０１を本体ケース２１１の所定の位置に仮止め固定し、ネジ穴２２２を有する固定ブロック２２１を本体ケース２１１に設けられた側壁孔２１２より挿入し、蓋体２３１と固定ブロック２２１とをネジ２４１でネジ止めすることで、液晶ディスプレー２０１は本体ケース２１１と固定ブロック２２１とで挟まれて保持される。結果、表示機側面の筐体周辺部となる本体ケース２１１の側面に組付けのための設置スペースが不要となるため、筐体周辺部の幅の狭い映像表示装置となる（例えば、特許文献２参照）。
【先行技術文献】
【特許文献】
【０００６】
【特許文献１】特開２００６−３０８７９０号公報
【特許文献２】特開平８−２３６９５０号公報
【発明の概要】
【発明が解決しようとする課題】
【０００７】
しかしながら、従来のつめを用いて筐体と表示機が固定される構造では、１度貫通孔につめを差し込んでしまうと、つめや貫通孔を破壊することなく貫通孔からつめを抜き出すことができず、修理等のために着脱を行うことが困難であるという問題点を有していた。
【０００８】
また、一般的に筐体は金型を用いて成形されるため、固定ブロックを用いる構成では、筐体の構造が複雑となり、さらに、部品点数が多くなるという問題点を有していた。つまり、本体ケース２１１の側壁に側壁孔２１２を設けるためには、本体ケース２１１の外形を形成すると同時に、側壁孔２１２を形成する必要があり、金型成型時に金型内部を横方向にスライドして側壁孔２１２を形成するブロックが余計に必要となる。これらの工程のために複雑で高価な金型と成型工程とが必要となる。また、ネジ止めする箇所毎に蓋体２３１の固定部２３２や固定ブロック２２１等の多くの部品が必要となる。
【０００９】
本発明の映像表示装置の筐体構造は前記課題に鑑みてなされたもので、筐体の着脱を可能としながら、簡単な構造で、筐体周辺部の幅の狭い筐体を構成することを目的とする。
【課題を解決するための手段】
【００１０】
上記の目的を達成するために、本発明の映像表示装置の筐体構造は、側壁後端部に長溝が形成される本体ケースと、前記本体ケースの側壁後端部に着脱自在に固定される蓋体と、表示機の側面に取り付けられる支持用金属板と、前記支持用金属板に設けられて前記表示機の裏面方向に突出するネジ止め用平板部と、前記長溝に挿入される固定用平板部を備える固定用金具と、前記蓋体，前記固定用金具および前記ネジ止め用平板部とを一体的に固定する表示機固定用ネジとを有することを特徴とする。
【００１１】
また、左右側壁後端部に長溝が形成される本体ケースと、前記本体ケースの側壁後端部に着脱自在に固定される蓋体と、表示機の左右側面に取り付けられる支持用金属板と、前記支持用金属板に設けられて前記表示機の裏面方向に突出するネジ止め用平板部と、前記長溝に挿入される固定用平板部を備える固定用金具と、前記蓋体，前記固定用金具および前記ネジ止め用平板部とを一体的に固定する表示機固定用ネジとを有することを特徴とする。
【００１２】
また、前記長溝の深さ方向が前記表示機の表示面に対して垂直方向と略同一とすることが好ましい。
また、前記固定用金具の前記固定用平板部と対向する位置に、さらに前記支持用金属板を位置決めする支持用平板部を形成することが好ましい。
【００１３】
また、前記固定用平板部の表面に突起を設けることが好ましい。
また、前記長溝が形成される前記本体ケースの側壁に段差を持たせても良い。
また、前記本体ケースと蓋体との固定を筐体固定用ネジを用いて行っても良い。
【発明の効果】
【００１４】
表示機の側面に支持用金属板を取り付けることにより支持用金属板のネジ止め用平板部を表示機の裏面側にはみ出させ、本体ケース側壁の長溝に固定用金具の固定用平板部を挿入した状態で、蓋体と固定用金具とネジ止め用平板部とをネジ止め固定することにより、表示機と本体ケース側壁との間隔を小さくできるので、本体ケースに長溝を形成するだけの簡単な筐体の構成で、着脱自在に、筐体周辺部の幅の狭い筐体を構成することができる。
【図面の簡単な説明】
【００１５】
【図１】実施の形態１における映像表示装置の筐体構造の構成を説明する図
【図２】実施の形態１の映像表示装置の筐体構造における支持用金属板の構成を示す要部斜視図
【図３】実施の形態１の映像表示装置の筐体構造における固定用金具の構成を示す要部斜視図
【図４】実施の形態１の映像表示装置の筐体構造における映像表示装置の上額縁と右額縁の筐体構造を示す図
【図５】実施の形態１の映像表示装置の筐体構造における映像表示装置の右額縁の水平方向の断面拡大図
【図６】従来の映像表示装置の筐体構造を示す図
【発明を実施するための形態】
【００１６】
（実施の形態１）
実施の形態１の映像表示装置の筐体構造は、筐体の外形を形成する本体ケースおよび蓋体と、表示機の側面に取り付けられる支持用金属板と、支持用金属板と筐体とを固定する固定用金具とから構成される。支持用金属板は表示機の裏面側に突出するネジ止め用平板部とネジ止め用平板部に設けられるネジ穴を備え、本体ケースの側壁の裏面側（以下、側壁後端部と称す）には長溝が形成され、固定用金具は短辺方向の端部を折り曲げた固定用平板部とネジ穴とを備える。そして、支持用金属板が取り付けられた表示機を本体ケースに仮止めし、固定用金具の固定用平板部を本体ケースの長溝に挿入し、蓋体と本体ケースとを着脱自在に固定すると共に、支持用金属板と固定用金具と蓋体とをネジにより一体的に固定することにより、筐体内に表示機を強固に固定すると共に、支持用金属板と固定用金具とを介して、表示機の裏面で蓋体と表示機をネジにより着脱自在に固定することができるため、表示機と本体ケース側壁との隙間を最小にして、簡単な構成で、着脱自在に、筐体周辺部の幅の狭い筐体を構成することができる。
【００１７】
以下、実施の形態１について、図１および図２〜図５を参照しながら説明する。
図１は実施の形態１における映像表示装置の筐体構造の構成を説明する分解斜視図であり、図１（ａ）は実施の形態１における映像表示装置の筐体構造の構成を説明する分解斜視図、図１（ｂ）は実施の形態１における上下支持用金属板と左右支持用金属板との固定部を示す要部拡大図である。図２は実施の形態１の映像表示装置の筐体構造における支持用金属板の構成を示す要部斜視図であり、映像表示装置の右側に位置する左右支持用金属板１２１の詳細斜視図である。図３は実施の形態１の映像表示装置の筐体構造における固定用金具の構成を示す要部斜視図であり、図３（ａ）は固定用金具の構成と本体ケース１１１の長溝１１２に挿入する様子を示す図、図３（ｂ），図３（ｄ）は固定用金具の構成例を示す図、図３（ｃ）は長溝１１２が形成される本体ケース１１１の側壁の形状を例示する図である。図４は実施の形態１の映像表示装置の筐体構造における映像表示装置の上額縁と右額縁の筐体構造を示す図であり、図４（ａ）は部分断面斜視図、図４（ｂ）は要部拡大図を示し、それぞれ一部を透視した図である。図５は実施の形態１の映像表示装置の筐体構造における映像表示装置の右額縁の水平方向の断面拡大図である。ここで、下額縁は上額縁と、左額縁は右額縁と表示機中心で対称形状に構成している。
【００１８】
なお、以下の図において、矢印Ａは映像表示装置の上下方向を、矢印Ｂは左右方向を、矢印Ｃは前後方向をそれぞれ示している。左右方向は、映像表示装置を正面から見たときの方向で示すものとする。
【００１９】
まず、図２を用いて左右支持用金属板１２１について説明する。左右支持用金属板１２１は、短冊形状の金属板金をプレス加工して作成される。左右支持用金属板１２１の短辺方向の前端部は内側（左側）に曲げ加工された曲げ端面１２４を備えている。一方、短辺方向の後端部近傍には上下方向に複数箇所、後方が開口したＵ字形状の切り欠きが設けられ、切り欠き後端を折り曲げ位置として外側（右側）に曲げ加工されている。その結果、左右支持用金属板１２１の後端部は外側へ曲げ加工された曲げ端面１２４と、曲げ端面１２４と同一面で内側に突出したネジ止め用平板部１２３とを備えた形状となる。このネジ止め用平板部１２３にはネジ穴１２２が設けられている。ネジ穴１２２は、左右支持用金属板１２１を後述する表示機１０１に組み付けた際に、表示機１０１の左右端面より内側に位置するように設置されている。以上、右側の左右支持用金属板１２１について説明したが、左側の左右懸架金具１２１についても左右が対象となる以外は同様の構成である。
【００２０】
次に、上下支持用金属板１３１について説明する。上側に位置する上下支持用金属板１３１の短辺方向の前端部は内側（下側）に曲げ加工された曲げ端面を備えている。一方、短辺方向の後端部は外側（上側）に曲げ加工された曲げ端面を備えている。後端部の曲げ端面には複数のネジ穴１３２が設けられている。下側に位置する支持用金属板１３１も上下が対象となる以外は同様の構成である。
【００２１】
本体ケース１１１は、液晶表示装置の筐体のうち前面および上下左右の側面部を構成している。前面については、表示機１０１と対向する部分が額縁部分を除いて開口している。
【００２２】
後端部の曲げ端面にネジ穴１２２を持つ左右支持用金属板１２１と、後端部の曲げ端面にネジ穴１３２を持つ上下支持用金属板１３１とは液晶パネル、ＰＤＰ、有機ＥＬパネル等の表示機１０１の側面部に沿うように当接された後、表示機１０１のネジ穴１０２に対してネジ１６１でそれぞれネジ止めされ、本体ケース１１１の内部に収納される。なお、図１（ｂ）に示すように、左右支持用金属板１２１と上下支持用金属板１３１とは互いの長辺方向の端部（表示機１０１の四隅近傍）においてネジ（不図示）で強固にネジ止めされる。
【００２３】
次に、図３を用いて固定用金具１４１の構成を説明する。
図３（ａ）に示すように、固定用金具１４１は表示機１０１（図１参照）に対する外側を前方に折り曲げて固定用平板部１４３と蓋体１５１（図１参照）との固定に用いるネジ穴１４２とが形成されている。表示機１０１（図１参照）の固定時には、固定用平板部１４３を本体ケース１１１の長溝１１２に挿入する。
【００２４】
また、図３（ｂ）に示すように、固定用平板部１４３に対向する辺も前方に折り曲げて、支持用平板部１４５を設けることにより、支持用金属板１２１（図１参照）の保持をより容易に行うこともできる。
【００２５】
また、図３（ｃ）に示すように、長溝１１２が形成される本体ケース１１１の側壁に段差を持たせても良い。本体ケース１１１は金型を用いて成型するが、長溝１１２が長尺形状だと金型が壊れやすくなるため、側壁に図３（ｃ）に示すように、側壁の前後方向の高さを変えた凸凹形状にすることによって金型の強度が確保できる。
【００２６】
さらに、図３（ｄ）に示すように、固定用平板部１４３に凸部１４４を設けることにより、長溝１１２内への挿入を容易にしながら、凸部１４４の端部で長溝１１２の内壁を支持でき、ぐらつきを防止することができる。なお、凸部１４４は挿入を容易にするために半球形状が望ましく、固定用平板部１４３の内面あるいは外面の表面の少なくともいずれかに設ければ良い。
【００２７】
ここで、表示装置が２６インチパネルの時の固定用金具１４１および長溝１１２の寸法を例示する。表示装置が２６インチパネルの場合、固定用金具１４１の厚みを０．６ｍｍ、固定用平板部１４３の挿入方向の長さを５．０ｍｍ、凸部１４４を設ける場合にはその高さを０．４ｍｍ程度とすることが好ましく、長溝１１２の深さを４．３ｍｍ、幅を０．８ｍｍ、長溝１１２の内側の本体ケース１１１の肉厚を１．６ｍｍとすることが好ましい。さらに、固定用平板部１４３の挿入を容易にするために、長溝１１２の入り口に挿入側が広くなるようなテーパを形成することが好ましい。
【００２８】
実施の形態１においては、上記各固定用金具１４１を用いることができるが、以下の説明では図３（ｂ）に示す固定用金具１４１を用いた場合を例に説明する。
次に、図４，図５を用いて、実施の形態１の筐体構造の構成について説明する。ここでは、右側あるいは上側の構造を例に説明する。
【００２９】
図４において、本体ケース１１１の右側壁後端部には、長溝１１２が形成されている。長溝１１２は、右側壁の後端部に沿って上下方向に設けられ、その深さ方向は前後方向と略一致し、表示機１０１の表示面に対してほぼ垂直方向に深さを形成している。このように、長溝１１２の深さ方向を表示機１０１の表示面に対してほぼ垂直方向とすることにより、本体ケース１１１の金型形成時に長溝１１２を容易に形成することができる。また、本体ケース１１１の上側壁内側には複数のネジ穴１１３が一体に形成されている。
【００３０】
蓋体１５１は、液晶表示装置のバックパネルを形成している。蓋体１５１には左右支持用金属板１２１のネジ穴１２２および上下支持用金属板１３１のネジ穴１３２に対応する位置に、ネジ穴１５２が複数形成されている。
【００３１】
最初に、上額縁部の筐体構造について説明する。左右支持用金属板１２１と上下支持用金属板１３１とがネジ止めされた表示機１０１は、本体ケース１１１のネジ穴１１３に上下支持用金属板１３１のネジ穴１３２が当接する位置に仮止めされる。ネジ１８１が蓋体１５１のネジ穴１５２と上下支持用金属板１３１のネジ穴１３２とを貫通し、本体ケース１１１のネジ穴１１３にネジ止めすることで、表示機１０１は本体ケース１１１と蓋体１５１とで保持される。このような構成にした場合には、本体ケース１１１と表示機１０１との間にネジ穴１１３を設け、ネジ１８１にて蓋体１５１と表示機１０１が固定された上下支持用金属板１３１と本体ケース１１１とを固定するため、ネジ穴１１３の形成領域が筐体の幅を大きくしている。一般的に、上下額縁部では筐体の幅を狭くする必要性が低いため、このような構成にしても良いが、後述する左右額縁部と同様に固定用金具を用いて、筐体の幅を狭くしても良い。
【００３２】
次に、右額縁部の筐体構造について説明する。固定用金具１４１は、長辺が上下方向となる短冊形状の板金の外側端（右端）を前方に曲げ加工し、さらに内側端(左端)についても前方に曲げ加工することにより水平方向の断面をＵ字形状としたものである。実施の形態１の映像表示装置の筐体構造では、表示機１０１に取り付けられた左右支持用金属板１２１は、本体ケース１１１右側面の後端部のうち、長溝１１２よりも内側部分に当接されて位置決めされる。既に説明したように、左右支持用金属板１２１には表示機１０１の左右端面より内側になる位置にネジ穴１２２が形成されている。固定用金具１４１の固定用平板部１４３は本体ケース１１１の長溝１１２に挿入される。また、左右支持用金属板１２１は固定用金具１４１の内側端に当接して位置決めされる。ここで、固定用金具１４１の外側端および内側端の間の内寸は、左右支持用金属板１２１後端部の曲げ端面１２４およびネジ止め用平板部１２３（図２参照）を合わせた幅よりもわずかに大きくなっている。この状態において固定用金具１４１の左右支持用金属板１２１のネジ穴１２２に対応する位置にはネジ穴１４２が形成されており、ネジ１７１が蓋体１５１のネジ穴１５２と固定用金具１４１のネジ穴１４２を貫通し、左右支持用金属板１２１のネジ穴１２２にネジ止めすることで固定用金具１４１は左右支持用金属板１２１と蓋体１５１とで挟まれて保持される。
【００３３】
図５において、固定用金具１４１が本体ケース１１１の長溝１１２と左右支持用金属板１２１とを拘束するため、本体ケース１１１と表示機１０１と蓋体１５１とは互いに強固に固定される。また、ネジ１７１は表示機の裏面に配置することができるため、本体ケース１１１に組付けのための空間を必要とせず、筐体左右周辺部の幅の狭い筐体を構成することができる。
【００３４】
以上のように、表示機の側面に支持用金属板を取り付けることにより支持用金属板のネジ止め用平板部を表示機の裏面側にはみ出させ、本体ケース側壁の長溝に固定用金具の固定用平板部を挿入した状態で、蓋体と固定用金具とネジ止め用平板部とをネジ止め固定することにより、表示機と本体ケース側壁との間隔を小さくできるので、本体ケースに長溝を形成するだけの簡単な筐体の構成で、着脱自在に、筐体周辺部の幅の狭い筐体を構成することができる。
【００３５】
なお、実施の形態１では筐体左右周辺部の幅を狭くするために上記のような構成としたが、上下方向と左右方向の構成を入れ替えて上下方向に固定用金具１４１を使うことで、筐体上下周辺部の幅を狭くできることは言うまでもない。上下左右方向すべてに固定用金具１４１を用いる構成とすることにより、筐体上下左右周辺部の幅を狭くすることも可能である。つまり、任意の周辺部の幅を狭くすることができる。
【００３６】
また、固定用金具１４１は、その内側端についても前方に曲げ加工することにより水平方向の断面をＵ字形状（図３（ｂ）参照）としたが、内側端については曲げ加工を行わず水平方向の断面をＬ字形状（図３（ａ）参照）とし、ネジ１７１による締結により、本体ケース１１１の長溝１１２と左右支持用金属板１２１とを拘束することもできる。
【産業上の利用可能性】
【００３７】
上記映像表示装置の筐体構造は、筐体の着脱を可能としながら、簡単な構造で、筐体周辺部の幅の狭い筐体を構成することができ、液晶ディスプレー等の表示機を収める映像表示装置の筐体構造等に有用である。
【符号の説明】
【００３８】
１０１  表示機
１０２  ネジ穴
１１１  本体ケース
１１２  長溝
１１３  ネジ穴
１２１  左右支持用金属板
１２２  ネジ穴
１２３  ネジ止め用平板部
１２４  曲げ端面
１３１  上下支持用金属板
１３２  ネジ穴
１４１  固定用金具
１４２  ネジ穴
１４３  固定用平板部
１４４  凸部
１４５  支持用平板部
１５１  蓋体
１５２  ネジ穴
１６１  ネジ
１７１  ネジ
１８１  ネジ
２０１  液晶ディスプレー
２１１  本体ケース
２１２  側壁孔
２２１  固定ブロック
２２２  ネジ穴
２３１  蓋体
２３２  固定部
２４１  ネジ
【図１】
2010191407.tif 000003
【図２】
2010191407.tif 000004
【図３】
2010191407.tif 000005
【図４】
2010191407.tif 000006
【図５】
2010191407.tif 000007
【図６】
2010191407.tif 000008